(57)【要約】【課題】別途ブレーキ用リリーフ弁を追加せず、粉砕装置の慣性ブレーキ作用を可能とし、粉砕装置のチッパーディスクを安全に停止させる。【解決手段】被粉砕物の投入口と、被粉砕物を粉砕する粉砕装置と、投入された被粉砕物を粉砕装置内に送り込む送り装置とを備えた樹枝粉砕機において、粉砕装置を駆動する粉砕用油圧モータ１２と、粉砕用油圧ポンプ１４と、粉砕用油圧モータ１２の作動、停止を制御する粉砕制御弁１８を設け、粉砕用油圧モータ１２の駆動管路１７と戻り管路１９の間に、粉砕制御弁１８より粉砕用油圧ポンプ１４側で圧油を駆動管路１７から逆止弁２４を介して戻り管路１９へリリーフさせるリリーフ弁２０を設けると共に、粉砕制御弁１８より粉砕用油圧モータ１２側で、戻り管路１９を逆止弁２９を介してリリーフ弁２０の一次側に接続し、リリーフ弁２０の二次側を逆止弁２６を介して駆動管路１７に接続してブレーキ管路２７を構成する。【選択図】  図２
2004167797.tif 000002
【特許請求の範囲】
【請求項１】
被粉砕物を投入する投入口と、被粉砕物を粉砕する粉砕装置と、投入口から投入された被粉砕物を粉砕装置内に送り込む送り装置とを備えた樹枝粉砕機であって、
粉砕装置を駆動する粉砕用油圧モータと、粉砕用油圧モータに圧油を供給する粉砕用油圧ポンプと、粉砕用油圧モータの作動、停止を制御する粉砕制御弁を設け、且つ粉砕用油圧モータの駆動管路と戻り管路の間に、粉砕装置が過負荷状態になると、粉砕制御弁より粉砕用油圧ポンプ側で圧油を駆動管路から逆止め弁を介して戻り管路へリリーフさせるリリーフ弁を設けると共に、粉砕制御弁より粉砕用油圧モータ側で、戻り管路を逆止弁を介してリリーフ弁の一次側に接続し、リリーフ弁の二次側を逆止弁を介して駆動管路に接続してブレーキ管路を構成したことを特徴とする樹枝粉砕機。
【発明の詳細な説明】
【０００１】
【発明の属する技術分野】
本発明は、伐採された樹木や剪定された木の枝などをチップ状に粉砕する樹枝粉砕機に関する。
【０００２】
【従来の技術】
伐採された樹木や剪定された木の枝などをチップ状に粉砕する樹枝粉砕機は、一般に樹木や木の枝などの被粉砕物を投入する投入口と、被粉砕物を粉砕する粉砕装置と、投入口から投入された被粉砕物を粉砕装置内に送り込む送り装置とを備えている。
【０００３】
従来の樹枝粉砕機では、エンジンの動力で粉砕用油圧ポンプと送り用油圧ポンプを駆動して圧油を粉砕用油圧モータと送り用油圧モータとに供給し、粉砕用油圧モータと送り用油圧モータとによって粉砕装置と送り装置を駆動する（特許文献１参照）。
このような樹枝粉砕機では、図３に示すようにエンジン１３の出力軸には、粉砕用油圧ポンプ１４と送り用油圧ポンプ１５とが連結されている。
【０００４】
粉砕用油圧ポンプ１４は、吸込側がタンク１６に接続されており、吐出側が粉砕用油圧モータ１２の駆動管路１７に接続されている。粉砕用油圧モータ１２の駆動管路１７には粉砕制御弁１８が設けられている。
粉砕制御弁１８は２位置の手動操作切換弁であり、そのレバーを操作することにより粉砕用油圧ポンプ１４からの圧油を粉砕用油圧モータ１２へ供給するか、戻り管路１９側へアンロードするかを切換えることができる。従って、粉砕制御弁１８の操作により破砕用油圧モータ１２の作動、停止が制御される。
【０００５】
粉砕用油圧モータ１２の駆動管路１７と戻り管路１９との間には、粉砕装置の過負荷状態で作動するリリーフ弁２０が設けられている。リリーフ弁２０は、粉砕装置３が過負荷状態になると、粉砕制御弁１８より粉砕用油圧ポンプ１４側で圧油を駆動管路１７から戻り管路１９へリリーフさせて、エンジンの停止や装置の損傷を防止する。
【０００６】
戻り管路１９のタンク１６側には、オイルクーラ２１、バイパスバルブ２２、リターンフィルタ２３が設けられている。
なお、粉砕用油圧モータ１２によって回転が与えられる粉砕装置のチッパーディスク３２は慣性が大であるので、高速回転するチッパーディスク３２を安全に停止させるため、慣性ブレーキが設けられる場合がある。
【０００７】
慣性ブレーキは、粉砕制御弁１８より粉砕用油圧モータ１２側で、戻り管路１９をブレーキ用リリーフ弁２５及び逆止弁２６を介して駆動管路１７に接続するブレーキ管路２７を設け、このブレーキ管路２７のブレーキ用リリーフ弁２５と逆止弁２６との間に、タンク１６側から給油管路２８を接続するように回路構成されている。
【０００８】
チッパーディスク３２が高速回転しているとき粉砕制御弁１８を停止側へ操作すると、駆動管路１７と戻り管路１９は共に遮断されるが、チッパーディスク３２は慣性によって回転を続けるので粉砕用油圧モータ１２も回転を継続し、粉砕用油圧モータ１２から排出される作動油の圧力が上昇してブレーキ用リリーフ弁２５が開く。作動油は逆止弁２６を通って粉砕用油圧モータ１２の駆動側に流入する。このとき、給油管路２８側からも必要に応じて作動油が補給される。
この慣性ブレーキの作用によって、チッパーディスク３２は過大な衝撃を生ずることなく減速し安全に停止する。
【０００９】
【特許文献１】
特開２０００−０８４９０６号公報
【００１０】
【発明が解決しようとする課題】
粉砕装置に慣性ブレーキを設けると、安全性が向上するが、別途ブレーキ用リリーフ弁を追加しなければならないのでコストが高くなる。
本発明は、樹枝粉砕機における上記問題を解決するものであって、別途ブレーキ用リリーフ弁を追加することなく、低コストで粉砕装置における慣性ブレーキ作用を可能とし、粉砕装置のチッパーディスクを安全に停止させることのできる樹枝粉砕機を提供することを目的とする。
【００１１】
【課題を解決するための手段】
本発明では、被粉砕物を投入する投入口と、被粉砕物を粉砕する粉砕装置と、投入口から投入された被粉砕物を粉砕装置内に送り込む送り装置とを備えた樹枝粉砕機において、粉砕装置を駆動する粉砕用油圧モータと、粉砕用油圧モータに圧油を供給する粉砕用油圧ポンプと、粉砕用油圧モータの作動、停止を制御する粉砕制御弁を設け、且つ粉砕用油圧モータの駆動管路と戻り管路の間に、粉砕装置が過負荷状態になると、粉砕制御弁より粉砕用油圧ポンプ側で圧油を駆動管路から逆止弁を介して戻り管路へリリーフさせるリリーフ弁を設けると共に、粉砕制御弁より粉砕用油圧モータ側で、戻り管路を逆止弁を介してリリーフ弁の一次側に接続し、リリーフ弁の二次側を逆止弁を介して駆動管路に接続してブレーキ管路を構成することにより上記課題を解決している。
【００１２】
この樹枝粉砕機では、粉砕制御弁を操作して粉砕用油圧ポンプからの圧油を粉砕用油圧モータへ供給するか、戻り管路側へアンロードするかを切換えることにより粉砕装置の破砕用油圧モータの作動、停止が制御される。
粉砕装置が過負荷状態になると、リリーフ弁が粉砕制御弁より粉砕用油圧ポンプ側で圧油を駆動管路から逆止め弁を介して戻り管路へリリーフさせて、エンジンの停止や装置の損傷を防止する。
【００１３】
粉砕装置のチッパーディスクが高速回転しているとき粉砕制御弁を停止側へ操作すると、駆動管路と戻り管路は共に遮断されるが、チッパーディスクは慣性によって回転を続けるので粉砕用油圧モータも回転を継続し、粉砕用油圧モータから排出される作動油の圧力が上昇してリリーフ弁が開く。作動油は逆止弁を通って粉砕用油圧モータの駆動側に流入する。
【００１４】
このブレーキ管路の慣性ブレーキ作用によって、チッパーディスクは過大な衝撃を生ずることなく減速し安全に停止する。
本発明では、このようにリリーフ弁をブレーキ用リリーフ弁としても利用することで、別途ブレーキ用リリーフ弁を追加することなく、低コストで粉砕装置における慣性ブレーキ作用を可能とし、粉砕装置のチッパーディスクを安全に停止させることができる。
【００１５】
【発明の実施の形態】
図１は本発明の実施の一形態である樹枝粉砕機の構成を示す側面図、図２は樹枝粉砕機の粉砕装置の油圧回路図である。
この樹枝粉砕機１は、被粉砕物Ｚを投入する投入口２と、被粉砕物Ｚを粉砕する粉砕装置３と、投入口１から投入された被粉砕物Ｚを粉砕装置３内に送り込む送り装置４とを備えており、投入口２と送り装置４と粉砕装置３とはベースフレーム５上に配置されている。
【００１６】
送り装置４は、送り用油圧モータ（図示略）で駆動される送りドラム４１を備えており、投入口１から投入された伐採された樹木や剪定された木の枝などの被粉砕物Ｚは送りドラム４１の回転によって粉砕装置３内に送り込まれる。
粉砕装置３には、送り込まれた被粉砕物Ｚを剪断粉砕するためのチッパーディスク３２と、粉砕されたチップを風力で粉砕装置３外へ排出するためのファンブレード３４とが内蔵されている。チッパーディスク３２とファンブレード３４とは共通の回転軸３５に取付けられており、破砕用油圧モータ１２で高速の回転が与えられる。
【００１７】
粉砕装置３の上部には、チップの排出管３６が設けられている。また、粉砕装置３に隣接して、ベースフレーム５上には、エンジン１３、粉砕用油圧ポンプ１４、送り用油圧ポンプ１５等の付属装置を備えたパワーハッケージ７が配置されている。
エンジン１３の出力軸には、粉砕用油圧ポンプ１４と送り用油圧ポンプ１５とが連結されている。粉砕用油圧ポンプ１４は、吸込側がタンク１６に接続されており、吐出側が粉砕用油圧モータ１２の駆動管路１７に接続されている。粉砕用油圧モータ１２の駆動管路１７には粉砕制御弁１８が設けられている。
【００１８】
粉砕制御弁１８は２位置の手動操作切換弁であり、そのレバーを操作することにより粉砕用油圧ポンプ１４からの圧油を粉砕用油圧モータ１２へ供給するか、戻り管路１９側へアンロードするかを切換えることができる。従って、粉砕制御弁１８の操作により破砕用油圧モータ１２の作動、停止が制御される。
粉砕用油圧モータ１２の駆動管路１７と戻り管路１９との間には、粉砕装置３が過負荷状態になると、粉砕制御弁１８より粉砕用油圧ポンプ１４側で圧油を駆動管路１７から戻り管路１９へリリーフさせるリリーフ弁２０が設けられている。駆動管路１７とリリーフ弁２０との間には逆止弁２４が設けられている。
【００１９】
リリーフ弁２０は、粉砕装置３が過負荷状態になって駆動管路１７の圧力が設定圧を越えると、圧油を駆動管路１７から戻り管路１９へリリーフさせて、エンジンの停止や装置の損傷を防止する。
戻り管路１９のタンク１６側には、オイルクーラ２１、バイパスバルブ２２、リターンフィルタ２３が設けられている。
【００２０】
また、粉砕制御弁１８より粉砕用油圧モータ１２側では、戻り管路１９が逆止弁２９を介してリリーフ弁２０の一次側に接続され、リリーフ弁２０の二次側が逆止弁２６を介して駆動管路１７に接続されており、リリーフ弁２０をブレーキ用リリーフ弁として利用するブレーキ管路２７が構成されている。
粉砕装置３のチッパーディスク３２が高速回転しているとき粉砕制御弁１８を停止側へ操作すると、駆動管路１７と戻り管路１９は共に遮断されるが、チッパーディスク３２は慣性によって回転を続けるので粉砕用油圧モータ１２も回転を継続し、粉砕用油圧モータ１２から排出される作動油の圧力が上昇し、逆止弁２９を通ってリリーフ弁２０を開く。作動油は逆止弁２６を通って粉砕用油圧モータ１２の駆動側に流入する。このとき、タンク１６側からも必要に応じて作動油が補給される。
【００２１】
このブレーキ管路２７の慣性ブレーキ作用によって、チッパーディスク３２は過大な衝撃を生ずることなく減速し安全に停止する。
このようにリリーフ弁２０をブレーキ用リリーフ弁としても利用することで、別途ブレーキ用リリーフ弁を追加することなく、粉砕装置３における慣性ブレーキの作用が可能となっている。
【００２２】
【発明の効果】
以上説明したように、本発明の樹枝粉砕機では、別途ブレーキ用リリーフ弁を追加することなく、低コストで粉砕装置における慣性ブレーキの作用が可能となり、粉砕装置のチッパーディスクを安全に停止させることができる。
【図面の簡単な説明】
【図１】本発明の実施の一形態である樹枝粉砕機の構成を示す側面図である。
【図２】樹枝粉砕機の粉砕装置の油圧回路図である。
【図３】従来の樹枝粉砕機の粉砕装置の油圧回路図である。
【符号の説明】
１    樹枝粉砕機
２    投入口
３    粉砕装置
４    送り装置
５    ベースフレーム
７    パワーバッケージ
１２  粉砕用油圧モータ
１３  エンジン
１４  粉砕用油圧ポンプ
１５  送り用油圧ポンプ
１６  タンク
１７  駆動管路
１８  粉砕制御弁
１９  戻り管路
２０  リリーフ弁
２４  逆止弁
２６  逆止弁
２７  ブレーキ管路
２９  逆止弁
３２  チッパーディスク
３４  ファンブレード
３５  回転軸
３６  排出管
Ｚ    被破砕物
【図１】
2004167797.tif 000003
【図２】
2004167797.tif 000004
【図３】
2004167797.tif 000005